(57)【要約】【課題】改良された回転錠部を有し、電子装置のような貴重品の盗難を防止するロックを提供する。【解決手段】ロック穴を有する電子装置に用いるロックは、少なくともＴ字形構造を形成する回転止め部と延伸部を有する回転錠部と、キーを挿入するためのキー穴を有し、前記回転錠部に連結されるロック本体とを備える。ロック本体は、前記延伸部の径方向において、第１の位置と、第２の位置とを有し、前記キーが前記キー穴に挿入されて前記第２の位置から第１の位置に前記ロック本体を変位させるように操作する場合、前記回転錠部を駆動して開錠位置に回転させ、前記ロック本体が第１の位置にある場合に、押されることにより、前記第１の位置から第２の位置に変位させて、前記回転錠部を駆動して施錠位置に回転させる。【選択図】      図１Ａ
0003178832.tif 000002
【実用新案登録請求の範囲】
【請求項１】
ロック穴を有する電子装置に用いるロックであって、少なくとも
Ｔ字形構造を形成する回転止め部と延伸部を有する回転錠部と、
キーを挿入するためのキー穴を有し、前記回転錠部に連結されるロック本体とを備え、
前記ロック本体は、前記延伸部の径方向において、第１の位置と、第２の位置とを有し、前記キーが前記キー穴に挿入されて前記第２の位置から第１の位置に前記ロック本体を変位させるように操作する場合、前記回転錠部を駆動して開錠位置に回転させ、前記ロック本体が第１の位置にある場合に、押されることにより、前記第１の位置から第２の位置に変位させて、前記回転錠部を駆動して施錠位置に回転させるロック。
【請求項２】
前記ロック本体は、前記延伸部の径方向において、前記第１の位置から第２の位置に変位することを第１の変位とし、前記第２の位置から第１の位置に変位することを第２の変位とする請求項１に記載のロック。
【請求項３】
前記第２の変位の方向と前記第１の変位の方向が逆方向である請求項２に記載のロック。
【請求項４】
前記ロック本体に作動部が設けられ、前記回転錠部は前記作動部に接する受動部を有する請求項１に記載のロック。
【請求項５】
前記作動部はラックであり、前記受動部は少なくともギアの一部を有する請求項４に記載のロック。
【請求項６】
前記ロック本体が前記第１の位置と前記第２の位置の間に変位されることによって、前記作動部が連動され、前記受動部が駆動される請求項４に記載のロック。
【請求項７】
前記ロック本体が前記第１の位置と前記第２の位置の間に変位されることによって、前記回転錠部が９０度に回転される請求項６に記載のロック。
【請求項８】
更に
前記ロック本体と前記回転錠部の少なくとも一部を収容する空間を画成する外部ケースとを備え、
前記外部ケースは、外部に突出して前記ロック穴に連結するための挿入部を有し、前記外部ケースの一端に設けられる連結部とを含む請求項１乃至７のいずれか一項に記載のロック。
【請求項９】
前記連結部は前記空間に連通する貫通穴を有し、前記回転錠部の前記延伸部及び前記回転止め部が前記貫通穴を通って前記外部ケースから突出して前記ロック穴に連結する請求項８に記載のロック。
【請求項１０】
更に
前記ロック本体と前記回転錠部の少なくとも一部を収容する空間を画成する外部ケースとを備え、前記受動部が前記空間に設けられる請求項４乃至７のいずれか一項に記載のロック。
【請求項１１】
前記挿入部は二つの離れたピン構造であり、前記貫通穴は前記二つのピン構造の間に設けられる請求項９に記載のロック。
【請求項１２】
前記回転錠部が前記ロック本体によって前記挿入部に対して回転するように駆動される請求項１１に記載のロック。
【請求項１３】
前記延伸部が、前記挿入部に平行して延伸して、前記挿入部の末端から突出した前記回転止め部と合わせて前記Ｔ字形構造を形成する請求項８に記載のロック。
【請求項１４】
更に
ロック本体のキー穴の反対側に設けられて、前記空間の内壁に接する弾性部材を備える請求項８に記載のロック。
【考案の詳細な説明】
【技術分野】
【０００１】
本考案は、ロックに関し、特に電子装置に用いり、盗難を防止するためのロックに関する。
【背景技術】
【０００２】
現代社会において、消費性電子装置は重要な役割を演じている。スピーディな生活形態及びリアルタイム情報に対する需要により、携帯可能な電子装置は人々にとって必須品になっている。このような電子装置は、需要性が高くて体積が小さくて単価が高く、また携帯に便利なので、紛失や盗難に合う虞が高い。
【０００３】
盗難に合わないように、電子装置に用いるロックが開発された（例えば、特許文献１，２）。例えば、ノートパソコンのような電子装置に開口部やロック穴が設けられ、更に開口部やロック穴の周囲に強化構造が施されている。ロックは、錠部材で電子装置のロック穴に挿入して、錠機構によって錠部材の開錠、施錠を作動する。しかし、前記ロックを用いて施錠する際、錠部材がロック穴に挿入してから、同時に錠部材及びロック本体を操作する必要があり、あるいは、キーをキーホールに合わせて挿入して、錠部材の開錠、施錠を作動させるため、操作が不便である。このため、電子装置に用いるロックは、操作上や構造上において、また改良すべき余地がある。
【先行技術文献】
【特許文献】
【０００４】
【特許文献１】米国特許第６９６８７１６号明細書
【特許文献２】米国特許第６０５８７４４号明細書
【考案の概要】
【考案が解決しようとする課題】
【０００５】
そこで、本考案は、改良された回転錠部を有し、電子装置のような貴重品の盗難を防止するロックを提供することを主な目的とする。
また、本考案は、操作が簡単で盗難されやすい物品例えば電子装置に速やかに装着または離脱することができるロックを提供することを他の目的とする。
【課題を解決するための手段】
【０００６】
前記目的を達成するために、本考案は、電子装置のロック穴に係合または離脱することができるロックを提供する。本考案に係るロックは、キー式ロックであり、外部ケースと、ロック本体と、回転錠部とを備える。外部ケースは、通常互いに離れる二つのピン構造からなる挿入部を形成し、挿入部の二つのピン構造の間に、外部ケースに形成された内部空間に連通する貫通穴が形成される。回転錠部は、二つのピン構造の間に設けられて、受動部と、延伸部と、回転止め部とを備える。延伸部は、一端が貫通穴を通して外部ケースに形成された内部空間に延伸し、他の一端に回転止め部が形成される。回転止め部と延伸部がＴ字形の構造になっている。回転錠部は回転軸に沿って挿入部に対して回転し、前記Ｔ字形の構造及び挿入部によって電子装置のロック穴に係合し、電子装置を所定の物体にロックする。
【０００７】
また、外部ケースは、ロック本体のキー穴を露出させ、キーと協働して開錠操作を実行するための第１開口を有する。また、ロック本体において、キー穴を有する一端は、施錠操作されるために、第１開口を通って外部ケースから突出することができる。開錠操作を行うとき、対応箇所に設けられた弾性部材の弾力により、ロック本体が第１開口に向かって第２の変位を行うとともに、回転止め部と挿入部の二つのピン構造の仮想ラインが平行になるように、回転錠部を駆動する。この状態において、回転止め部が挿入部の投影範囲内にあり、ロックは、電子装置のロック穴と係合する部分（即ち、挿入部、延伸部、回転止め部）が電子装置のロック穴に挿入または離脱することができる。回転錠部の軸に直交する方向、即ち延伸部の径方向において、ロック本体を押して施錠操作を行うとき、ロック本体が第１開口から離れて第１の変位を行うとともに、回転止め部と挿入部の二つのピン構造の仮想ラインが垂直になるように、回転錠部を駆動する。この状態において、回転止め部が挿入部の投影範囲の外に突出している。前記第１の変位の方向はロック本体を押す方向と同向であり、第２の変位の方向はロック本体を押す方向と逆向である。即ち、ロック本体は、延伸部の径方向において、往復して変位する。
【０００８】
また、ロック本体にラック形状の作動部が設けられ、回転錠部の受動部がギアである。作動部と受動部が互いに接しており、つまり、ラック形状の作動部の歯部とギア形状の受動部の歯部が噛合っている。ロック本体が第１の変位または第２の変位を行うとき、作動部も受動部に対して第１の変位または第２の変位に対応する方向に変位し、互いに噛合っている歯部により、ギア形状の受動部を連動して回転錠部全体を回転させる。ロック本体が第１の変位を行うとき、作動部が受動部に対する変位によって、回転止め部と挿入部が垂直になるように、回転錠部が駆動される。この状態において、ロックの電子装置のロック穴と係合する部分が既にロック穴に挿入された場合、回転錠部が該ロック穴に対して（軸方向がロック穴に位置する平面に垂直するように）回転され、ロック穴に係合される。ロック本体が第２の変位を行うとき、作動部が受動部に対する変位によって、回転止め部と挿入部が平行になるように、回転錠部が駆動される。この状態において、ロックの電子装置のロック穴と係合する部分が既にロック穴に挿入された場合、回転錠部が該ロック穴に対して回転され、電子装置のロック穴と係合する部分がロック穴から離脱することができるようになる。
【図面の簡単な説明】
【０００９】
【図１Ａ】本考案に係るロックの実施例の斜視図。
【図１Ｂ】本考案に係るロックの実施例の斜視図。
【図１Ｃ】本考案に係るロックの実施例の斜視図。
【図２】図１Ａと図１Ｂに示すロックの分解図。
【図３Ａ】図１Ｃに示すロックの外部ケースの一部を外した状態の側面図。
【図３Ｂ】図１Ｃに示すロックの外部ケースの一部を外した状態の側面図。
【図４Ａ】図１Ａに示すロックの外部ケースの一部を外した状態の側面図。
【図４Ｂ】図１Ａに示すロックの外部ケースの一部を外した状態の側面図。
【図５】本考案に係るロック本体の実施例の斜視図。
【図６Ａ】本考案に係るロックの外部ケースの一部を外した状態の側面図。
【図６Ｂ】本考案に係るロックの外部ケースの一部を外した状態の側面図。
【図７Ａ】図１Ｂに示すロックの正面図。
【図７Ｂ】図１Ａに示すロックの正面図。
【図８Ａ】本考案に係るロックと装置のロック穴を示す図。
【図８Ｂ】本考案に係るロックと装置のロック穴を示す図。
【考案を実施するための形態】
【００１０】
本考案は、タブレットパソコンやノートパソコンなどの電子装置に用いるロックを提供する。図１Ａ乃至図１Ｃに示すように、ロック１０は、キー式ロックであり、外部ケース１００と、ロック本体２０と、回転錠部４０とを含む。ロック本体２０は、所定のキーを受けいれてロック本体２０を開錠するためのキー穴２０４を有する。外部ケース１００は、ロック本体２０と回転錠部４０の少なくとも一部を収容するとともに、内部に作動させる空間を画成する。ロック１０には、更に外部ケース１００に接続されるワイヤ１３（図示せず）が設けられ、ロック１０と合わせて、電子装置を動かない物体や固定されて物体例えば机にロックすることができる。外部ケース１００の一端に互いに離れる二つのピン構造からなる挿入部１０３１が設けられている。このピン構造は、例えば円柱体を切り分けてなる二つの半円柱体の形態であってよく、一つの方向における変位を制限する。挿入部１０３１の二つのピン構造の間に、外部ケース１００の内部に連通する貫通穴１０３２が設けられる。回転錠部４０は、貫通穴１０３２を通過して挿入部１０３１の二つのピン構造の間に沿って延伸する延伸部４０２と、延伸部４０２の末端に形成される回転止め部４０３とを有する。回転止め部４０３と延伸部４０２を合わせて、Ｔ字形の構造が構成される。回転錠部４０は、自身を通る回転軸Ｃ有し、これに沿って回転（自転）する。また、回転軸Ｃは延伸部４０２の径方向に直交する。回転錠部４０の自転によって、このＴ字形の構造及び挿入部１０３１は、選択的に電子装置のロック穴に係合または離脱して、電子装置を所定物体にロックすることができる。外部ケース１００、ロック本体２０、及び回転錠部４０の構造、連結関係及び作用は後で詳細に記述する。
【００１１】
図２における図１Ａと図１Ｂに示す本考案に係るロックの分解図に示すように、外部ケース１００は、複数のケース部品から構成される。例えば、外部ケース１００は、第１のケース１０１と、第２のケース１０２と、連結部１０３を有し、これらが周知の組立法、例えば互いに嵌合、粘着、螺合などによって、ロックの他の部品を収容する空間１１を形成する。一つの実施形態において、第１のケース１０１は複数の組立ピン１１２を有し、第２のケース１０２は第１のケース１０１の複数の組立ピン１１２に対応する複数の組立穴１２２を有する。更に第１のケース１０１と第２のケース１０２は、それぞれ組立穴１１３と１２３を有し、連結部１０３は組立穴１１３と１２３に対応する複数の組立ピン１０３３を有する。前記組立穴１２２と前記組立ピン１１２が互いに対向して嵌合し、前記組立穴１１３及び１２３と前記組立ピン１０３３が互いに対向して嵌合することにより、ロック本体２０を収容する外部ケース１００を形成するように第１のケース１０１、第２のケース１０２、及び連結部１０３が組み立てされる。第１のケース１０１は、ロック本体２０のキー穴２０４を露出させ、キーと協働して開錠操作を実行するための第１開口１０１０を有する。また、ロック本体２０において、キー穴２０４を有する一端は、施錠操作されるために、第１開口１０１０を通って外部ケース１００から突出することができる。ロック本体２０において、第２のケース１０２に対向する一端に、弾性部材２５が設けられる（図３Ｂと図４Ｂを参照）。弾性部材２５は、空間１１の内壁に接し、圧縮されて弾力を提供するように例えば空間１１内の収納槽１０２３に収納される。
【００１２】
第１のケース１０１と第２のケース１０２はともに連結部１０３に連結される。連結部１０３の一端に前記挿入部１０３１が形成され、挿入部１０３１の二つのピン構造の間に、外部ケース１００の内部に連通する貫通穴１０３２が設けられる。一つの実施形態において、延伸部４０２と回転止め部４０３が連結部１０３の貫通穴１０３２を通過して連結部１０３の挿入部１０３１と平行になり、回転止め部４０３がピン構造の挿入部１０３１の末端から突出するように、連結部１０３が回転錠部４０を囲むように設けられる。回転錠部４０が挿入部１０３１に対して回転する時に、垂直に延伸部４０２に連結される回転止め部４０３の延伸方向も対応して回転し、延伸方向が選択的に挿入部１０３１の二つのピン構造を連結する仮想ラインＬｖの方向に平行または垂直になり、ロック１０が選択的に電子装置のロック穴に開錠または施錠することになる（図１Ａと図１Ｂを対照して、図１Ａにおいて、回転止め部４０３の延伸方向と仮想ラインＬｖの方向が平行になっている。一方、図１Ｂにおいて、回転止め部４０３の延伸方向と仮想ラインＬｖの方向が垂直になっている）。なお、延伸部４０２の径方向は、図２に示す径方向Ｄであり、つまり、延伸部４０２の径方向は方向Ｄを含む。
【００１３】
回転錠部４０は更に受動部４０１を含む。受動部４０１は、延伸部４０２及び回転止め部４０３相対して、外部ケース１００に囲まれる空間１１に設けられ、ロック本体２０に隣接する。前記のように、ロック本体２０ａのロック機構（図示せず）及びキー穴２０４は、これに適しているキー１に合わせて、ロック本体２０ａの開錠、施錠を機能させる。ロック本体２０ａは構造や操作が従来のキー式ロックに近似しており、当業者に熟知されているものであるので、ここで説明を省略する。
【００１４】
好ましい実施例において、施錠状態におけるロック本体２０は図３Ａ及び図３Ｂに示すようになり、ロック本体２０は、ロックケース２００と、突起２０１と、ロックケース２００に形成されるガイド２０２とを有する。施錠状態において、突起２０１がガイド２０２から突出して、空間の内壁（即ち第１のケースの内壁）に対応する位置決め槽（図示せず）に係合する。開錠操作を実施すると、突起２０１が位置決め槽から延伸する斜面及びガイド２０２に沿って移動して、前記斜面によって位置決め槽に係合する状態から解除される。つまり、空間の内壁によるロック本体２０への制限が解除される。次に、弾性部材２５の弾力によってロック本体２０が第１開口１０１０に向かって押されて、第２のケース１０２から離れて第２の変位Ｍ２が行われ、図４Ａ及び図４Ｂに示す開錠状態になる。また、ロック本体２０に位置決めピン２０７が設けられ、空間の内壁（即ち第１のケースの内壁）に位置決めピン２０７を収納する溝（図示せず）が設けられる。ロック本体２０が弾性部材２５に押されて第２の変位Ｍ２が行われる場合に、位置決めピン２０７が溝に移動する。なお、前記溝は、少なくとも片側が封鎖された溝であり、位置決めピン２０７がこの溝で移動することのよって、第２の変位Ｍ２の距離が制御される。ロック本体２０の第２の変位Ｍ２が行われるときに、回転錠部４０が挿入部１０３１と平行になるように、開錠位置に回転される。この状態において、回転止め部４０３が挿入部１０３１の投影範囲内にあり、ロック１０は、電子装置のロック穴と係合する部分（即ち、挿入部１０３１、延伸部４０２、回転止め部４０３）がロック穴に挿入または離脱することができるようになる。なお、前記回転錠部４０の回転後の状態が回転止め部４０３と挿入部１０３１が平行になるように前記溝の封鎖側の位置が決められる。
【００１５】
また、本考案は、ロック本体２０が延伸部４０２の径方向において、第１の位置Ｐ１から第２の位置Ｐ２に変位されることによって、施錠操作が行われる。即ち、ロック本体２０が第２の位置Ｐ２にあるときにロック本体２０が施錠状態である。好ましい実施形態において、外部ケース１００から突出したロック本体２０の部分を押すことにより、ロック本体２０が第１の位置Ｐ１から第２の位置Ｐ２に変位される。また、ロック本体２０を押すことによって、ロック本体２０が第１開口１０１０に離れて第２のケース１０２に向かい、第１の変位Ｍ１が行われる。第１の変位Ｍ１が行われる間に、弾性部材２５がロック本体２０に圧縮されて、開錠に必要な弾力を貯蓄する。ロック本体２０が第１の変位Ｍ１を行った後、ガイド２０２が位置決め槽に対応位置に戻り、ガイド２０２中の突起２０１が空間の内壁の位置決め槽に係合することになる。つまり、ロック本体２０は再び空間の内壁に制限され、第１の変位Ｍ１の方向において移動できなくなり、所定のキー１がない限り、第２の変位Ｍ２を行うことができない。また、第１の変位Ｍ１が行われるとき、ロック本体２０は、同時に回転錠部４０を挿入部１０３１に垂直する施錠位置に回転させる。この場合、回転止め部４０３が挿入部１０３１の投影範囲の外に突出している。なお、前記回転錠部４０の回転後の状態が回転止め部４０３と挿入部１０３１が垂直になるように前記溝の封鎖側の位置が決められる。
【００１６】
前記のように、開錠／施錠操作によるロック本体２０の第２の変位Ｍ２／第１の変位Ｍ１によって、回転錠部４０が回転される。施錠操作が行われるとき、延伸部４０２の径方向においてロック本体２０が押される。また、好ましい実施例において、第１の変位Ｍ１の方向は、ロック本体２０を押す方向Ｐ、つまり第１の位置Ｐ１から第２の位置Ｐ２に変位する方向と同向であり、第２の変位Ｍ２の方向は、ロック本体２０を押す方向Ｐと逆向で、つまり第２の位置Ｐ２から第１の位置Ｐ１に変位する方向と同向である。即ち、ロック本体２０は、回転止め部４０３の径方向において、第１の位置Ｐ１と第２の位置Ｐ２の間に往復変位し、ロック本体２０が第２の位置Ｐ２にあるときに施錠状態になり、ロック本体２０が第１の位置Ｐ１にあるときに開錠状態になる。他の実施例において、延伸部４０２の径方向に沿った押す方向は、ロック本体２０の変位方向と異なってもよい。
【００１７】
ロック本体２０に作動部２０５が設けられており、作動部２０５がロックケース２００から延伸されてよく、他の実施例において、別途にロック本体やロックケースに設けられてもよい。また、作動部２０５は回転錠部４０の受動部４０１に互いに接している。図５に示すように、好ましい実施例において、受動部４０１がギアであり、受動部のギアの形状に合わせて作動部２０５がラックである。図６Ａ―図６Ｂに示すように、ラック形状の作動部２０５の歯部とギア形状の受動部４０１の歯部が噛合っている。前記のようにロック本体２０が第１の変位Ｍ１または第２の変位Ｍ２を行うとき、作動部２０５も受動部４０１に対して第１の変位Ｍ１または第２の変位Ｍ２に対応する方向に変位し、回転錠部４０全体を回転させる。つまり、ロック本体２０は、回転止め部４０３の径方向において、第１の位置Ｐ１と第２の位置Ｐ２の間で往復変位して作動部２０５を連動し、受動部４０１及び回転錠部４０全体を駆動して回転させる。なお、ギアは、回転錠部４０を回転させて前記回転後の状態を達成するように、ラック形状の作動部２０５の歯部に噛合う十分な歯数を有すればよい。また、作動部と受動部はギアとラックのセットに限らず、ロック本体が作動部を連動する方法も前記作動部の変位をロック本体の変位に同期する方法に限らない。回転止め部４０３の径方向において、ロック本体２０の変位によって作動部が連動され、受動部４０１及び回転錠部４０全体を駆動して回転させるいかなるメカニズムであってもよい。
【００１８】
図３Ａ乃至図４Ｂに示すように、図１Ａに示すロックにロック本体２０を押して施錠操作をするとき、ロック本体２０が第１の変位Ｍ１を行い、ラック形状の作動部２０５を受動部４０１に対して変位する。このとき、作動部２０５が受動部４０１に対する変位によって、回転止め部４０３と挿入部１０３１が垂直になるように、回転錠部４０が駆動される。この状態において、回転止め部４０３が挿入部１０３１の投影範囲の外に突出している。図７Ａに示すように、この視角から見た場合、挿入部１０３１と回転止め部４０３が十字の形状になる。図１Ｂに示すように、ロック本体２０が施錠状態になると、更にロック本体２０を押して操作（施錠操作）することはできなくなる。図８Ａに示すように、施錠操作する前に、ロック１０の電子装置のロック穴Ｈと係合する部分（即ち、挿入部１０３１、延伸部４０２、回転止め部４０３）がロック穴Ｈに挿入された場合、前記施錠操作によって、開錠位置にある回転錠部４０が該ロック穴Ｈに対して（軸方向Ｃがロック穴Ｈに位置する平面に垂直するように）回転される。回転錠部４０が施錠位置に回転されると、回転止め部４０３がロック穴に係合される。
【００１９】
図３Ａ乃至図４Ｂに示すように、図１Ｂに示すロックにキー（図１Ｃを参照）でロック本体２０を開錠操作するとき、ロック本体２０が第２の変位Ｍ２を行い、ラック形状の作動部２０５を受動部４０１に対して変位する。このとき、作動部２０５が受動部４０１に対する変位によって、回転止め部４０３と挿入部１０３１が平行になるように、回転錠部４０が駆動される。この状態において、回転止め部４０３が挿入部１０３１の投影範囲に位置している。図７Ｂに示すように、この視角から見た場合、挿入部１０３１と回転止め部４０３が一字の形状になる。図１Ａに示すように、ロック本体２０が開錠状態になると、ロック本体２０を押して操作（施錠操作）することができるようになる。図８Ｂに示すように、開錠操作する前に、ロック１０の電子装置のロック穴Ｈと係合する部分（即ち、挿入部１０３１、延伸部４０２、回転止め部４０３）がロック穴Ｈに挿入されて、回転止め部４０３がロック穴に係合されている場合、前記開錠操作によって、回転錠部４０が該ロック穴Ｈに対して（軸方向Ｃがロック穴Ｈに位置する平面に垂直するように）回転される。回転錠部４０が開錠位置に回転されると、ロック１０の回転止め部４０３を含む電子装置のロック穴Ｈと係合する部分がロック穴Ｈから離脱することができるようになる。なお、開錠操作する前に、ロック１０の電子装置のロック穴Ｈと係合する部分がロック穴Ｈに挿入されていない場合、前記開錠操作によって、回転錠部４０が、ロック１０の回転止め部４０３を含む電子装置のロック穴Ｈと係合する部分がロック穴Ｈに挿入できるように回転される。
【００２０】
また、図８Ａ及び図８Ｂに示すように、ロック穴Ｈによく係合するように、作動部２０５による回転錠部４０の回転が９０度の間で往復回転するのが好ましい。
本考案では好適な実施形態を前述及び図面の通り開示したが、本考案の保護範囲は、特許請求の範囲で指定した内容を基準とし、法に合致する均等物を含み、前述本明細書に開示された実施例は本考案を説明に用いられるものであって、決して本考案を限定するものではない。当該分野の技術を熟知しているものであれば、本考案に対して、多様の変動や修正を加えることができる。
【符号の説明】
【００２１】
１…キー、１０…ロック、１１…空間、１００…外部ケース、１０１０…第１開口、１０１…第１のケース、１０３３，１１２…組立ピン、１０２…第２のケース、１０２３…収納槽、１２２，１１３，１２３…組立穴、１０３…連結部、１０３１…挿入部、１０３２…貫通穴、２０…ロック本体、２００…ロックケース、２０１…突起、２０２…ガイド、２０４…キー穴、２０５…作動部、２０７…位置決めピン、２５…弾性部材、４０…回転錠部、４０１…受動部、４０２…延伸部、４０３…回転止め部、Ｃ…軸方向、Ｄ…径方向、Ｍ１…第１の変位、Ｍ２…第２の変位、Ｐ…方向、Ｐ１…第１の位置、Ｐ２…第２の位置、Ｈ…ロック穴
【図１Ａ】
0003178832.tif 000003
【図１Ｂ】
0003178832.tif 000004
【図１Ｃ】
0003178832.tif 000005
【図２】
0003178832.tif 000006
【図３Ａ】
0003178832.tif 000007
【図３Ｂ】
0003178832.tif 000008
【図４Ａ】
0003178832.tif 000009
【図４Ｂ】
0003178832.tif 000010
【図５】
0003178832.tif 000011
【図６Ａ】
0003178832.tif 000012
【図６Ｂ】
0003178832.tif 000013
【図７Ａ】
0003178832.tif 000014
【図７Ｂ】
0003178832.tif 000015
【図８Ａ】
0003178832.tif 000016
【図８Ｂ】
0003178832.tif 000017